(57)【要約】【課題】制御基板の設計変更をしないでメモリ容量を増加させることについて、迅速かつ効率よく対応できる遊技機用画像表示装置を提供する。【解決手段】制御部２を制御基板Ａに画像ＲＯＭをＲＯＭ基板Ｂに実装し、制御基板Ａと各画像ＲＯＭ間をアクセス可能とする標準インターフェース１０を制御基板Ａに実装したから、画像ＲＯＭ等の記憶媒体の変更、若しくは該記憶媒体の記憶容量の変更を、制御基板Ａを変更することなく、該当のＲＯＭ基板のみの変更により迅速に対応できる。また、ＲＯＭ基板Ｂをデータバス上で順次増設し、各画像ＲＯＭ２２ａ〜２２ｃに、固有のアドレスを設定できるから、予め制御基板に所定個数のメモリが差込装着可能なコネクタ部を設けておく必要もなく、将来のメモリ容量の増加に迅速に対応できる。さらに、チェックサム機能を有する基板を接続して、各画像ＲＯＭ２２ａ〜２２ｃ等の記憶内容の改竄を防止できる。【選択図】図２
2005218727.tif 000002
【特許請求の範囲】
【請求項１】
主制御装置からのコマンドを受信して動作する遊技機用画像表示装置であって、
前記コマンドに基づいて画像表示処理を実行する主制御部と、表示する画像データを記憶するデータ記憶部とをそれぞれ個々の基板に実装するとともに、所定の制御方式及び所定のデータ読み出し方式に基づいて、前記主制御部とデータ記憶部間をアクセス可能とする標準インターフェース部を前記主制御部の基板に実装し、
データ記憶素子や記憶媒体の変更、若しくは該データ記憶素子や記憶媒体の記憶容量の変更を前記データ記憶部のみの変更により対応できるようにしたことを特徴とする遊技機用画像表示装置。
【請求項２】
前記データバス上で順次データ記憶部を増設できるようにするとともに、各データ記憶部を構成するデータ記憶素子や記憶媒体に対して固有のアドレスを設定できるようにしたことを特徴とする請求項１に記載の遊技機用画像表示装置。
【請求項３】
前記データバス上で終端に接続されるデータ記憶部に、各データ記憶部のデータ記憶素子や記憶媒体に対するデータ送信をチェックするチェックサム機能を有する基板を接続したことを特徴とする請求項１又は請求項２に記載の遊技機用画像表示装置。
【発明の詳細な説明】
【技術分野】
【０００１】
本発明は、パチンコ機や回胴式遊技機等の遊技機用画像表示装置に関するものである。
【背景技術】
【０００２】
特開２００３−１６４６３５号公報には、メモリ素子の変更に効率よく対応できる遊技機用メモリカートリッジ装置が開示されている。この装置は、制御基板のコネクタ部に対して差込装着可能なコネクタ部を有する少なくとも一つのフラッシュメモリと、該フラッシュメモリの少なくとも一つを実装した配線基板と、該配線基板を収容するとともに、該配線基板のコネクタ部を外部に臨ませることが可能で、かつ内部の収容物を視認可能な回路基板ケースとを備えている。
【０００３】
そして、上記の遊技機用メモリカートリッジ装置は、制御装置のメモリの数を増加させる場合等においても、所望の容量のメモリが実装されたメモリボードのみを交換すればよく、制御基板を直接変更する必要がないというものである。
【０００４】
しかしながら、この遊技機用メモリカートリッジ装置は、フラッシュメモリに設けたコネクタ部を制御基板のコネクタ部に差し込んで装着するものである。このため、制御基板の設計変更をしないで、将来のメモリ容量の増加に対応して複数個のフラッシュメモリを装着するためには、予め制御基板に所定個数のコネクタ部を設けておく必要があり、制御基板の構成上無駄となる場合があった。
【特許文献１】特開２００３−１６４６３５号公報
【発明の開示】
【発明が解決しようとする課題】
【０００５】
解決しようとする問題点は、制御基板の設計変更をしないでメモリ容量の増加に、迅速かつ効率よく対応できる遊技機用画像表示装置を提供することである。
【０００６】
上記問題点を解決するための請求項１に記載の遊技機用画像表示装置は、主制御装置からのコマンドを受信して動作する遊技機用画像表示装置であって、前記コマンドに基づいて画像表示処理を実行する主制御部と、表示する画像データを記憶するデータ記憶部とをそれぞれ個々の基板に実装するとともに、所定の制御方式及び所定のデータ読み出し方式に基づいて、前記主制御部とデータ記憶部間をアクセス可能とする標準インターフェース部を前記主制御部の基板に実装し、データ記憶素子や記憶媒体の変更、若しくは該データ記憶素子や記憶媒体の記憶容量の変更を前記データ記憶部のみの変更により対応できるようにしたことを特徴とする。
【０００７】
請求項２に記載の遊技機用画像表示装置は、請求項１に記載の構成において、前記データバス上で順次データ記憶部を増設できるようにするとともに、各データ記憶部を構成するデータ記憶素子や記憶媒体に対して固有のアドレスを設定できるようにしたことを特徴とする。
【０００８】
また、請求項３記載の遊技機用画像表示装置は、請求項１又は請求項２に記載の構成において、データバス上で終端に接続されるデータ記憶部に、各データ記憶部のデータ記憶素子や記憶媒体に対するデータ送信をチェックするチェックサム機能を有する基板を接続したことを特徴とする。
【発明の効果】
【０００９】
請求項１に記載の遊技機用画像表示装置によれば、主制御部とデータ記憶部とをそれぞれ個々の基板に実装するとともに、主制御部とデータ記憶部間をアクセス可能とする標準インターフェース部を主制御部の基板に実装したから、データ記憶素子や記憶媒体の変更、若しくは該データ記憶素子や記憶媒体の記憶容量の変更を前記データ記憶部のみの変更により迅速に対応できる。
【００１０】
請求項２に記載の遊技機用画像表示装置によれば、データ記憶部をデータバス上で順次増設できるようにするとともに、各データ記憶部を構成するデータ記憶素子や記憶媒体に対して、固有のアドレスを設定できるようにしたから、予め制御基板に所定個数のメモリが差込装着可能なコネクタ部を設けておく必要もなく、将来のメモリ容量の増加に迅速に対応できるとともに、制御基板の構成上無駄となることもない。
【００１１】
また、請求項３に記載の遊技機用画像表示装置によれば、データバス上で終端に接続されるデータ記憶部に、各データ記憶部のデータ記憶素子や記憶媒体に対するデータ送信をチェックするチェックサム機能を有する基板を接続したから、各データ記憶部のデータ記憶素子や記憶媒体に記憶された内容の改竄を防止することができる。
【発明を実施するための最良の形態】
【００１２】
制御基板の設計変更をしないでメモリ容量の増加に、迅速かつ効率よく対応できる遊技機用画像表示装置を提供するという目的を、主制御部とデータ記憶部とをそれぞれ個々の基板に実装するとともに、標準インターフェース部を主制御部の基板に実装し、さらにデータ記憶部をデータバス上で順次増設できるようし、各データ記憶部を構成するデータ記憶素子や記憶媒体に対して、固有のアドレスを設定することで実現した。
【実施例１】
【００１３】
本発明の実施例１について添付図面を参照して説明する。図１は遊技機用画像表示装置（以下画像表示装置という）１の概略構成を示したブロック図である。制御基板Ａには、画像表示装置１の制御部２が実装されている。制御部２は、ディスプレイ３、ディスプレイコントローラ４、メイン処理ユニット５、プログラムＲＯＭ６、ウォッチドッグタイマ７、通信インターフェース８及び電源ユニット９等により構成されている。さらに、制御基板Ａには標準インターフェース１０が実装されている。
【００１４】
ディスプレイコントローラ４は、メイン処理ユニット５により指定される画像を構成して、画像信号としてディスプレイ３に出力するＩＣ回路である。メイン処理ユニット５は、ＣＰＵ、ＲＡＭから構成され画像表示処理の全体を制御するＩＣ回路であり、図示しない主制御基板から送られるコマンドに従い、ディスプレイコントローラ４等を制御し、該当する画像をプログラムＲＯＭ６に格納されているデータを使用してディスプレイ３に表示する。プログラムＲＯＭ６は、画像表示処理プログラムと画像設定値が格納されたメモリである。ウォッチドッグタイマ７は、メイン処理ユニット５が暴走した場合にリセットするＩＣ回路である。通信インターフェース８は、主制御基板とコマンド通信を行うインターフェースである。標準インターフェース１０は、制御基板Ａと後述するＲＯＭ基板Ｂとの標準アクセス回路であり、バス制御用回路１０ａと制御用回路１０ｂとから構成されている。
【００１５】
上記制御基板ＡとＲＯＭ基板Ｂとは、中継コネクタＣにより接続される。ＲＯＭ基板Ｂには、アドレス設定・デコード回路２１と３個の画像ＲＯＭ２２ａ〜２２ｃが実装されている。アドレス設定・デコード回路２１と各画像ＲＯＭ２２ａ〜２２ｃ間は、それぞれＲＯＭ指定信号ライン２３により接続されている。そして、アドレス設定・デコード回路２１は、中継コネクタＣを介して制御基板Ａに実装した標準インターフェース１０の制御用回路１０ｂと接続されている。また、各画像ＲＯＭ２２ａ〜２２ｃは、画像ＲＯＭデータバス２４と画像ＲＯＭアドレスバス２５により、同じく中継コネクタＣを介して制御基板Ａに実装した標準インターフェース１０のバス制御用回路１０ａと接続されている。
尚、ＲＯＭ基板Ｂに実装される画像ＲＯＭの数は、上記した３個に限られるものではない。
【００１６】
アドレス設定・デコード回路２１は、それぞれＲＯＭ基板Ｂ毎に実装されている。そして、図２に示すように中継コネクタＣを介して複数のＲＯＭ基板Ｂ１〜Ｂｎが増設される場合には、各ＲＯＭ基板Ｂ１〜Ｂｎのアドレスを設定し、制御用回路１０ｂからの制御信号により、読み出す画像ＲＯＭが実装されているＲＯＭ基板Ｂ１〜ＢｎのアドレスをデコードしてＲＯＭ基板Ｂ１〜Ｂｎの何れかを指定するとともに、当該ＲＯＭ基板に実装されたＲＯＭ番号２２ａ〜２２ｃを指定する画像ＲＯＭ指定信号を出力する。
【００１７】
上記図２に示すように、複数のＲＯＭ基板形態における画像表示装置１における画像表示処理について説明する。メイン処理ユニット５は、制御基板Ａの通信インターフェース８が主制御基板（不図示）から受信したコマンドの内容を解析し、該当する画像指定データをプログラムＲＯＭ６から読み出す。そして、読み出された画像データに従い、例えば当該画像が格納されているＲＯＭ基板Ｂ２のアドレス及び画像ＲＯＭ２２ｃのアドレスを指定するＲＯＭ指定信号を出力する。
【００１８】
ＲＯＭ指定信号を受けた先頭ＲＯＭ基板Ｂ１のアドレス設定・デコード回路２１は、それぞれ自ＲＯＭ基板に設定されているアドレスと、ＲＯＭ指定信号により指定されているＲＯＭ基板アドレスを比較する。この場合ＲＯＭ基板Ｂ２のアドレスが指定されているので、そのままＲＯＭ指定信号をＲＯＭ基板Ｂ２のアドレス設定・デコード回路２１へ出力する。ＲＯＭ基板Ｂ２のアドレス設定・デコード回路２１は、指定されているＲＯＭ基板アドレスが自基板であるので、そのＲＯＭ指定信号を実装された各画像ＲＯＭ２２ａ〜２２ｃに出力して、該当画像が格納されている画像ＲＯＭ（この場合画像ＲＯＭ２２ｃ）を読み出し可能にする。ＲＯＭ指定信号は、順次ＲＯＭ基板Ｂ３〜Ｂｎに出力され、各アドレス設定・デコード回路２１が自ＲＯＭ基板に設定されているアドレスと、ＲＯＭ指定信号により指定されているＲＯＭ基板アドレスを比較して上記所定の処理を行う。
【００１９】
続いてメイン処理ユニット５は、画像指定データに従いディスプレイコントローラ４に対して、表示する画像に関するパラメータを設定する。ディスプレイコントローラ４は、設定された画像に関するパラメータに従い、画像ＲＯＭアドレスバス２５にアドレス信号を出力して、該当アドレスの画像データを画像ＲＯＭデータバス２４により読み出し、所定の処理プログラムに従い内部処理を施して、ディスプレイ３に画像信号を出力して、該当の画像を表示する。
【００２０】
上記一連の画像表示処理を連続して行うことにより、静止画及び動画を含めた様々な画像表示が可能となる。
尚、制御基板Ａに１個のＲＯＭ基板Ｂ１を連結する場合、及び複数のＲＯＭ基板Ｂ１〜Ｂｎを連結する場合の、ＲＯＭ基板Ｂ１及びＢｎではＲＯＭ基板どうしを連結するための中継コネクタＣは必要ではない。
【００２１】
上記画像表示装置１によれば、制御部２を制御基板Ａに画像ＲＯＭをＲＯＭ基板Ｂに実装するとともに、制御基板Ａと各画像ＲＯＭ間をアクセス可能とする標準インターフェース１０を制御基板Ａに実装したから、画像ＲＯＭ等の記憶媒体の変更、若しくは該記憶媒体の記憶容量の変更を、制御基板Ａを変更することなく、該当のＲＯＭ基板のみの変更により迅速に対応できる。また、ＲＯＭ基板Ｂをデータバス上で順次増設できるようにするとともに、各ＲＯＭ基板Ｂの各画像ＲＯＭ２２ａ〜２２ｃに対して、固有のアドレスを設定できるようにしたから、予め制御基板に所定個数のメモリが差込装着可能なコネクタ部を設けておく必要もなく、将来のメモリ容量の増加に迅速に対応できるとともに、制御基板の構成上無駄となることもない等の優れた利点を有する。
【００２２】
また、図３のブロック図に示すように、制御基板Ａに実装されていたプログラムＲＯＭ６を、各ＲＯＭ基板Ｂ１〜Ｂｎ毎に実装することもできる。ＲＯＭ基板Ｂ１〜Ｂｎの各画像ＲＯＭ２２ａ〜２２ｃの記憶内容に応じたプログラムＲＯＭ６を実装することにより、ＲＯＭ基板Ｂ１〜Ｂｎを変更した場合の画像表示処理の確実性が向上できる。
【００２３】
さらに、図４のブロック図に示すように、データバス上で終端に接続されるＲＯＭ基板Ｂｎに、各ＲＯＭ基板Ｂ１〜Ｂｎの画像ＲＯＭ２２ａ〜２２ｃやプログラムＲＯＭ６１〜６ｎに対するデータ送信をチェックするチェックサム機能を有するＩＣ３１ａ〜３１ｄを備えた基板ＣＳを接続することもできる。これにより、各ＲＯＭ基板Ｂ１〜Ｂｎの画像ＲＯＭ２２ａ〜２２ｃやプログラムＲＯＭ６１〜６ｎに記憶された内容の改竄を防止することができる。
尚、図１及び図２に示した形態のものにも、データバス上で終端に接続されるＲＯＭ基板Ｂ１やＢｎにチェックサム機能を有するＩＣを備えた基板ＣＳを接続することもできる。
【００２４】
上記したＲＯＭ基板のほかに記憶媒体として、各種のメモリ等を使用することも出来る。また、上記画像表示装置は、パチンコ機のみならず回胴式遊技機等の各種の遊技機にも適用できることはいうまでもない。
【図面の簡単な説明】
【００２５】
【図１】画像表示装置の概略構成を示したブロック図である。
【図２】複数のＲＯＭ基板を連結した画像表示装置の概略構成を示したブロック図である。
【図３】画像表示装置の変形例の概略構成を示したブロック図である。
【図４】同じく、画像表示装置の変形例の概略構成を示したブロック図である。
【符号の説明】
【００２６】
１...画像表示装置
２...制御部
５...メイン処理ユニット
６．．．プログラムＲＯＭ
８...通信インターフェース
１０...標準インターフェース
１０ａ...バス制御用回路
１０ｂ...制御用回路
２１...アドレス設定・デコード回路
２２ａ〜２２ｃ...画像ＲＯＭ
２３...ＲＯＭ指定信号ライン
２４...画像ＲＯＭデータバス
２５...画像ＲＯＭアドレスバス
３１ａ〜３１ｄ．．．ＩＣ
Ａ...制御基板
Ｂ，Ｂ１〜Ｂｎ...ＲＯＭ基板
Ｃ...中継コネクタ
ＣＳ．．．基板
【図１】
2005218727.tif 000003
【図２】
2005218727.tif 000004
【図３】
2005218727.tif 000005
【図４】
2005218727.tif 000006